(57)【要約】【課題】コンパクトで操作性が良好なサーベイメータを構成する。【解決手段】サーベイメータは可搬型の放射線測定装置であり、それは先端部１０、中間部１２及びグリップ部１４を有する。中間部１２の上面には表示部が設けられている。中間部１２に対して屈曲部を介して先端部１０が連なっており、先端部１０が傾斜部を構成している。グリップ部１４はくびれ形状を有している。先端部１０内には放射線検出部が設けられ、それは左右方向に並んだ複数のセンサを有している。【選択図】図２
2013053881.tif 000002
【特許請求の範囲】
【請求項１】
前後方向及び左右方向に広がった平べったい形態を有し、上面に表示部が設けられた中間部と、
前記左右方向に伸長した形態を有し、前記中間部の前側に屈曲部位を介して連なり、放射線検出部を収容した先端部と、
前記前後方向及び前記左右方向に平べったい形態を有し、前記中間部の後側に連なるグリップ部と、
を含み、
前記先端部は前記屈曲部位から前記中間部の下側へ傾斜した部分である、ことを特徴とするサーベイメータ。
【請求項２】
請求項１記載のサーベイメータにおいて、
前記中間部は、それを前後方向に貫通する仮想的な第１中心軸を有し、
前記先端部は、主測定方向に一致する仮想的な第２中心軸を有し、
前記第１中心軸と前記第２中心軸とが前記屈曲部位で交差し、
前記第１中心軸と前記第２中心軸の交差角度が１０−６０度の範囲内に設定された、ことを特徴とするサーベイメータ。
【請求項３】
請求項２記載のサーベイメータにおいて、
前記交差角度が１５−４５度の範囲内に設定された、ことを特徴とするサーベイメータ。
【請求項４】
請求項２記載のサーベイメータにおいて、
前記中間部と前記グリップ部が一体的に連なり、且つ、前記中間部と前記先端部が一体的に連なり、
前記中間部と前記グリップ部は実質的に互いに同じ厚みを有し、それら全体として平板状の形態を構成し、
前記先端部は、前記第２中心軸の方向及び前記左右方向に広がった形態を有し、且つ、前記第２中心軸に直交する先端面を有する、ことを特徴とするサーベイメータ。
【請求項５】
請求項４記載のサーベイメータにおいて、
前記グリップ部は上方から見てくびれ形状を有する、ことを特徴とするサーベイメータ。
【請求項６】
請求項４記載のサーベイメータにおいて、
前記先端部は上方から見て先細の形状を有する、ことを特徴とするサーベイメータ。
【請求項７】
請求項１乃至６のいずれか１項に記載のサーベイメータにおいて、
前記グリップ部の上面には操作部が設けられた、ことを特徴とするサーベイメータ。
【請求項８】
請求項１記載のサーベイメータにおいて、
前記放射線検出部は、前記左右方向に並んだ複数のセンサを含む、ことを特徴とするサーベイメータ。
【請求項９】
請求項７記載のサーベイメータにおいて、
前記放射線検出部は、前記複数のセンサを包み込んだフィルタ部材を含む、ことを特徴とするサーベイメータ。
【請求項１０】
請求項８記載のサーベイメータにおいて、
前記各センサは有感面を有する平板状の半導体センサであり、
前記左右方向に直交する方向であって前記先端部が向く主測定方向と、前記左右方向及び前記主測定方向に直交する先端部厚み方向と、を定義した場合、前記各センサの有感面が前記左右方向又は前記先端部厚み方向を向く、ことを特徴とするサーベイメータ。
【請求項１１】
請求項１０記載のサーベイメータにおいて、
前記複数のセンサが前記左右方向に積層された、ことを特徴とするサーベイメータ。
【請求項１２】
請求項１０記載のサーベイメータにおいて、
前記複数のセンサが、それらの有感面が前記先端部厚み方向を向くようにして、前記左右方向に並べられた、ことを特徴とするサーベイメータ。
【請求項１３】
請求項７乃至１２のいずれか１項に記載のサーベイメータにおいて、
前記複数のセンサの内で線量に応じて検出動作を行わせるセンサを選択する制御部が設けられた、ことを特徴とするサーベイメータ。
【発明の詳細な説明】
【技術分野】
【０００１】
本発明はサーベイメータに関し、特に、対象物からの放射線、環境中の放射線等を測定するサーベイメータに関する。
【背景技術】
【０００２】
サーべイメータは、対象物（建築物、自然物、人体、等）からの放射線、環境中に存在する放射線、等を測定する装置である。サーベイメータは、通常、可搬型の装置として構成され、それは、バッテリを内蔵し、バッテリからの電力によって動作する。特許文献１、２、３に記載されたサーベイメータは、箱状の形態を有する本体と、本体に対してケーブルを介して接続された検出部と、で構成されている。一方の手で本体の取っ手が保持され、他方の手で検出部が保持される。
【先行技術文献】
【特許文献】
【０００３】
【特許文献１】特開2001-004757号公報
【特許文献２】特開2005-077380号公報
【特許文献３】特開2009-025005号公報
【発明の概要】
【発明が解決しようとする課題】
【０００４】
上記従来のサーベイメータを利用する場合、両手がふさがってしまうという問題がある。そこで片手だけで保持できるコンパクトなサーベイメータを実現することが望まれる。そのようなサーベイメータとして、単純な箱状のサーベイメータを構成した場合、操作性が良くない、あるいは、検出部の主測定方向を対象物へ向けると表示器が見にくくなる、という問題が指摘されている。また、操作性をよくするためには薄型のサーベイメータを構成することが望まれるが、その場合、検出部を設置するためのスペースが小さくなることから、大きなセンサをその有感面を対象物側へ向けて配置するのが困難となる。以上の問題の内で少なくとも１つを解決することが要請される。
【０００５】
本発明の目的は、操作性が良好でコンパクトなサーベイメータを提供することにある。
【０００６】
本発明の他の目的は、片手で持って簡単に測定を行え、しかも測定中に表示器が見易いサーベイメータを提供することにある。
【０００７】
本発明の他の目的は、サーベイメータにおいて、良好な感度を確保しつつも対象物に向ける端部（検出部）の厚みを薄くすることにある。
【課題を解決するための手段】
【０００８】
本発明に係るサーベイメータは、前後方向及び左右方向に広がった平べったい形態を有し、上面に表示部が設けられた中間部と、前記左右方向に伸長した形態を有し、前記中間部の前側に屈曲部位を介して連なり、放射線検出部を収容した先端部と、前記前後方向及び前記左右方向に平べったい形態を有し、前記中間部の後側に連なるグリップ部と、を含み、前記先端部は前記屈曲部位から前記中間部の下側へ傾斜した部分である、ことを特徴とするものである。
【０００９】
上記構成によれば、中間部が平べったい形態を有するので、その上面に表示面（表示部）を設けることが容易となる。あるいは、表示部の設置スペースとして大きなエリアを確保可能である。中間部の前側には屈曲部位を介して放射線検出部を収容した先端部が連結されており、その先端部は中間部の下側へ傾斜した部分である。よって、先端部を対象物へ向けた場合、サーベイメータを保持している操作者の方へ表示面が向くことになるから（多くのケースで先端部が傾斜していない場合よりも視線に対する表示面の角度を大きくできるから）、表示面が見易くなる。中間部の後側にはグリップ部が連結されており、そのグリップ部分が手で把持されることになる。よって、表示部が手で隠れてしまう問題を解消又は軽減できる。すなわち、片手でグリップ部分を持って、先端部を対象物へ向けると、自然に表示面がユーザー側を向くから、表示面の視認性を向上できる。つまり、測定中に視線を移すことなくあるいは大きな視線移動無くして線量情報を読み取れる。サーベイメータの上面に操作部を設ければ、更に操作部の視認性も向上できる。視野内に例えば対象物、先端部、表示面、操作部を入れ込むことが容易なので、非常に使い勝手がよくなる。
【００１０】
望ましくは、前記中間部は、それを前後方向に貫通する仮想的な第１中心軸を有し、前記先端部は、主測定方向に一致する仮想的な第２中心軸を有し、前記第１中心軸と前記第２中心軸とが前記屈曲部位で交差し、前記第１中心軸と前記第２中心軸の交差角度が１０−６０度の範囲内に設定される。特に望ましくは、前記交差角度が１５−４５度の範囲内に設定される。これらの数値は実験、経験則等から求められるものである。用途に応じて適切な屈曲角度を選択するのが望ましい。屈曲角度を可変できるように構成してもよい。
【００１１】
望ましくは、前記中間部と前記グリップ部が一体的に連なり、且つ、前記中間部と前記先端部が一体的に連なり、前記中間部と前記グリップ部は実質的に互いに同じ厚みを有し、それら全体として平板状の形態を構成し、前記先端部は、前記第２中心軸の方向及び前記左右方向に広がった形態を有し、且つ、前記第２中心軸に直交する先端面を有する。この構成によれば、各部が平べったい形態を有するから、それは、おおよそ、多数のスイッチを備えた一般的なリモコン（テレビ、オーディオ機器等のリモートコントロールユニット）のような形態であると言える。但し、主測定方向（校正対象となった正面方向あるいは主感度方向）が第１中心軸に対して交差しているから、つまり先端部が傾斜している点で、一般的なリモコン形態とは相違する。一般的なリモコンは、一般に、水平方向に向けて使用され、それは斜め上方４５度の角度や床面に向けて使用するようなものではないからである。
【００１２】
望ましくは、前記グリップ部は上方から見てくびれ形状を有する。くびれ形状が採用されていれば、持ちやすいし、持つ部分が明確となるから、表示面が手で隠れにくい。望ましくは、前記先端部は上方から見て先細の形状を有する。望ましくは、前記グリップ部の上面には操作部が設けられる。望ましくは、グリップ部分の一方側面に手の平をあて、親指を上面にあて、他の４本の指をグリップ部分の他方側面側に引っ掛けた状態で、グリップ部分が把持される。このような持ち方によれば、上面に形成された操作部を親指で操作できる。つまり把持、操作の両方を片手で行える。勿論、測定対象の高さや向き、そしてサーベイメータの測定姿勢に応じて、持ち方を変えるようにするのが望ましい。
【００１３】
望ましくは、前記放射線検出部は、前記左右方向に並んだ複数のセンサを含む。先端部は左右方向に伸長した形態を有するから、それに合わせて左右方向に複数のセンサを配置するのが合理的である。つまりスペース効率を良好にできる。望ましくは、前記放射線検出部は、前記複数のセンサを包み込んだフィルタ部材を含む。フィルタ部材は、エネルギー感度特性を良好にする作用を発揮し、及び／又は、放射線検出部全体として主測定方向への感度を高める（感度特性を良好にする）作用を発揮する。好適な態様では、フィルタ部材が散乱体として作用し、半導体センサの有感面が主測定方向を向いていなくても、主測定方向の感度を引き上げられる。フィルタ部材は、主感度方向に向く面を正面とした場合、正面に加えて４つの側面に設けるのが望ましい。更に背面に設けてもよい。複数種類のフィルタ部材を利用するようにしてもよい。各面での厚みを異ならせることも可能である。更にコリメート作用を発揮する部材を設けるようにしてもよい。
【００１４】
望ましくは、前記各センサは有感面を有する平板状の半導体センサであり、前記左右方向に直交する方向であって前記先端部が向く主測定方向と、前記左右方向及び前記主測定方向に直交する先端部厚み方向と、を定義した場合、前記各センサの有感面が前記左右方向又は前記先端部厚み方向を向く。
【００１５】
望ましくは、前記複数のセンサが前記左右方向に積層される。この構成によれば積層体を構成して有感面積の増大を図れる。それらは同一形状のセンサによって構成されるのが望ましい。センサに表面と裏面とがある場合には向きが左右均等になるように配列してもよい。望ましくは、前記複数のセンサが、それらの有感面が前記先端部厚み方向を向くようにして、前記左右方向に並べられる。この構成によれば先端部の広がり方向と検出面の広がり方向とを合わせてスペース効率を高められる。サイズの異なる複数のセンサを配置するようにしてもよい。望ましくは、前記複数のセンサの内で線量に応じて検出動作を行わせるセンサを選択する制御部が設けられる。高線量下ではパルスが連なって飽和してしまう場合に稼働センサの個数を削減してそのような飽和を防止するものである。
【発明の効果】
【００１６】
本発明によれば、操作性が良好でコンパクトなサーベイメータを提供できる。あるいは、片手で持って簡単に測定を行え、しかも測定中に表示器が見易いサーベイメータを提供できる。あるいは、良好な感度を確保しつつも対象物に向ける端部（検出部）の厚みを薄くできる。
【図面の簡単な説明】
【００１７】
【図１】本発明に係るサーベイメータの好適な実施形態を示す上面図である。
【図２】図１に示したサーベイメータの斜視図である。
【図３】図１に示したサーベイメータの右側面図である。
【図４】図１に示したサーベイメータが有する構成を示すブロック図である。
【図５】放射線検出部の第１例を示す図である。
【図６】放射線検出部の第１例を示す図である。
【図７】放射線検出部の第２例を示す図である。
【図８】放射線検出部の第２例を示す図である。
【図９】第１表示例を示す図である。
【図１０】第２表示例を示す図である。
【図１１】第３表示例を示す図である。
【発明を実施するための形態】
【００１８】
以下、本発明の好適な実施形態を図面に基づいて説明する。
【００１９】
図１には、本発明に係るサーベイメータの好適な実施形態が示されており、図１はその上面図である。このサーベイメータは、建築物や人体等の対象物からの放射線を検出する放射線測定装置である。もちろん、環境中の放射線が測定されてもよい。本実施形態においては、放射線としてγ線が測定されているが、他の放射線が測定されてもよい。
【００２０】
図１において、サーベイメータはバッテリを内蔵し、可搬型の装置として構成されている。本実施形態においては、サーベイメータを片手で把持をしながらその操作を行うことが可能なように当該サーベイメータが構成されている。サーベイメータは、先端側から後端側にかけて３つの区間を有し、具体的には先端部１０、中間部１２及びグリップ部１４を有する。中間部１２は、その上面に表示部１８を有している。表示部１８は液晶表示器等により構成されている。中間部１２は、前後方向であるＸ方向及び左右方向であるＹ方向に広がった平べったい形態を有しており、すなわち平板型の形状を有している。その厚みは例えば１７.５ｍｍである。例えば、その厚さを１０〜２５ｍｍの範囲内から選択することもできる。
【００２１】
中間部１２の前側には屈曲部１１を介して先端部１０が一体的に連結されている。先端部１０は後に説明するように中間部１２の下面側へ傾斜した傾斜部を構成している。先端部１０は図示されるように左右方向に伸長した形態を有し、また後に説明する主測定方向と左右方向（Ｙ方向）の両方向にわたって広がった平べったい形態を有している。先端部１０の厚さ、すなわち左右方向と主測定方向の両方向に直交する方向の厚さは、例えば２０ｍｍである。その厚さを例えば１５〜３０ｍｍの範囲内において選択することも可能である。
【００２２】
先端部１０の内部には検出部１６が設けられている。本実施形態においては、検出部１６は後に説明するように複数の半導体センサを含んで構成されている。先端部１０の先端面１０Ａは検出面であり、それは主測定方向に対して直交した面を構成している。先端部１０は図１に示されるように上方から見て若干ながら先細の形状を有している。
【００２３】
グリップ部１４はユーザーの手によって把持される部分であり、それは上方から見てくびれ形状を有している。グリップ部１４は中間部１２と同様にＸ方向及びＹ方向に広がった平べったい形態を有し、つまりそれは平板状の形態を有している。グリップ部１４の前縁におけるＹ方向の幅Ｗ３が最も大きく、そこから後端方向にその幅を観察すると、中間部分において一旦その幅がＷ１となり、そこからまた広がって後縁においてその幅はＷ２となっている。すなわち上述したようにグリップ部１４は上方から見てくびれた形状を有している。これによりグリップ部１４が掴み易くなっており、またグリップ部１４を掴んだ状態において表示部１８が手によって隠蔽されてしまう問題を解消又は軽減することが可能である。
【００２４】
グリップ部１４の上面、より具体的には表示部１８の後側には操作部２０が設けられている。本実施形態において操作部２０は３つのプッシュボタンによって構成されている。グリップ部１４の握り方について説明すると、例えば、右手でそれを把持する場合、グリップ部１４の右側面に手のひらが当てられ、親指がグリップ部１４の上面に当てられ、残りの４つの指がグリップ部１４の左側面に引っ掛けられる。このような状態で親指によって操作部２０が操作される。もちろん、対象物の位置や対象物の傾きあるいはユーザーの好み等によって様々な持ち方を採用することが可能である。
【００２５】
ちなみにサーベイメータの全体を包み込む弾性部材で構成されたジャケットを設けるようにするのが望ましい。このようなジャケットによれば、サーベイメータが誤って落下したような場合においてもサーベイメータの筐体及びその内部の電子部品を保護することが可能となる。そのようなジャケットは着脱自在なものとして構成するのが望ましい。ちなみに、図１にはＸ方向及びＹ方向が示されているが、それに直交する方向としてＺ方向を定義することができ、そのＺ方向は中間部１２及びグリップ部１４についての厚み方向である。
【００２６】
図２には、サーベイメータの斜視図が示されている。上述したように、サーベイメータは先端から後端にかけて先端部１０、中間部１２及びグリップ部１４を有している。先端部１０の先端面は検出面１０Ａを構成し、それは主測定方向に対して交差した面である。ここで、主測定方向は例えば校正が行われた方向であり、あるいは最も感度が高い方向である。先端部１０の向く方向が主測定方向である。符号２２はＵＳＢポートを示している。符号２４はバッテリケースのカバーを示している。本実施形態においては、ＵＳＢポートを介してバッテリの充電を行うことが可能である。
【００２７】
図３には、サーベイメータの右側面図が示されている。符号１００は中間部及びグリップ部の中心を通過する中心軸を示しており、符号１０２は先端部を通過する中心軸を示している。中心軸１０２は主測定方向２６に合致している。中心軸１００と中心軸１０２とがなす交差角度θは望ましくは１０〜６０度の範囲内に設定され、特に望ましくは１５〜４５度の範囲内に設定され、本実施形態においては３０度に設定されている。上述したように、中間部及びグリップ部のＺ方向の厚さは例えば１７.５ｍｍであり、先端部における中心軸１０２に直交する方向の厚さは例えば２０ｍｍである。もちろん本明細書に挙げられている各数値は一例に過ぎない。いずれにおいても片手で容易に把持でき、また片手だけで操作が可能なサーベイメータを構成するのが望ましい。
【００２８】
図１乃至図３に示したサーベイメータの形態はテレビやオーディオ機器などに付属しているリモートコントローラの形態に類似している。しかし、そのようなリモートコントローラはフロア面に向けたり壁面上方へ向けたりするようなものではなく、概ね水平方向に向けられるものである。その一方、本実施形態のサーベイメータは、例えば床面の放射線汚染や壁面上部の放射線汚染等を測定するものであり、上述のような屈曲形態を有している。すなわち、例えば床面へ検出面を向けたような場合に表示部の表示面が自然にユーザー側に向くので、それがユーザー側に正対しないとしても表示面と視線との成す角度を比較的に大きくできるので、表示面の視認性を向上することが可能である。しかも、グリップ部をもった状態において表示面が露出されており、しかも先端部及び対象部を同じ視線の中に捉えることも容易であるから、測定をしながら対象部位を確認しつつ、更に表示面を観察できるという利点が得られる。このように本実施形態に係るサーベイメータはコンパクトであり、また使い勝手が非常に良い。ちなみに、図３に示されるようにストラップを引っ掛けるための凸部３０を設けるようにしてもよい。またイヤホンジャック３２を設けるようにし、放射線検出器のパルス音をイヤホンを用いて聞くようにしてもよい。
【００２９】
図４にはサーベイメータにおける回路構成がブロック図として示されている。プロセッサ４０は例えば１又は複数のマイコン等により構成され、信号処理及び動作制御を行っている。プロセッサ４０に対しては検出部４２が接続されている。この検出部４２の構成については後に図５乃至図８を用いて説明する。プロセッサ４０には操作部２０及び表示部１８が接続されている。操作部２０は上述したように３つのボタンによって構成されている。表示部１８は上述したように液晶パネルによって構成されている。表示部１８と操作部２０とが両者一体化されてタッチスクリーンを構成してもよい。また、プロセッサ４０にはメモリ４６が接続されている。外部メモリを設けるようにしてもよい。ブザー４８はアラームを発生するためのものである。符号５０はイヤホンへの出力信号を表しており、符号５２はＵＳＢポートを介した外部とのアクセス信号を表している。この構成に対して更にＧＰＳシステム等を組み込むようにしてもよい。バッテリ４２はサーベイメータが有する各構成に電力を供給するものであり、具体的にはバッテリ４２からの電力が電源回路４４を経由して各構成に供給されている。図４に示した構成は一例に過ぎないものである。
【００３０】
図５及び図６には放射線検出部の第１例が示されている。
【００３１】
図５において、積層体５４は複数のセンサ５６，５８により構成され、具体的には、左右方向つまりＹ方向に積層された９個の半導体センサによって構成されている。各センサ５６，５８はそれぞれ平板型のセンサであり、具体的には、主測定方向６０と先端部厚み方向の両方向に広がっている。各センサは有感面５６Ａ，５８Ａを有している。一般にセンサ５６，５８は一方面及び他方面のそれぞれの感度特性が異なり、それを考慮して、本実施形態においては９個の内で約半数の５個の半導体センサが図において右向きで配置されており、残りの約半数の４個のセンサ５８が図において左向きで配置されている。これによって複数のセンサ５６，５８全体として左右方向にほぼ均等の感度が得られている。
【００３２】
本実施形態において９個のセンサ５６，５８は３つのグループに区分されている。ここで１つのグループは３つのセンサにより構成されている。これにより第１グループ６２、第２グループ６４，第３グループ６６が構成されている。第１グループ６２からの３つの出力信号は加算されてその加算信号がアンプ６８を経由してコンパレータ７０に送られている。コンパレータ７０においては所定の閾値を超える信号だけが取り出されており、これによって出力パルスが生じる。これは図４に示したプロセッサ４０へ出力される。同様に第２グループ６４からの信号もアンプ７２及びコンパレータ７４を介してプロセッサ４０へ出力されている。更に第３グループ６６についてもその出力信号がアンプ７６及びコンパレータ７８を介してプロセッサ４０へ出力されている。このようなグルーピングにより電子回路の規模を削減できるとともに、線量に応じて動作させるグループ数を選択することが可能となっている。もちろんグループを構成することなく個別的に各センサのオンオフ切り替えを行えるように構成してもよい。
【００３３】
本実施形態においては積層体５６がフィルタ部材８０によって包み込まれている。積層体５４が有する６つの面の内で、主測定方向６０に向く正面と４つの側面に対してフィルタ部材が設けられている。残りの背面については本実施形態においてフィルタ部材は設けられていないが、もちろんそこにフィルタ部材を設けることも可能である。フィルタ部材８０はエネルギー感度特性を良好にするために設けられている。本実施形態において、このフィルタ部材は銅によって構成されている。もちろん他の材料あるいは複数の材料をもってフィルタ部材８０を構成するようにしてもよい。本実施形態では、積層体５４がフィルタ部材８０によって包み込まれており、フィルタ部材８０においてγ線が散乱した場合、その散乱したγ線が複数の有感面において検出される。実験によれば、図５に示す検出部の構成により、主測定方向６０において主感度を構成することが可能となっている。もっとも、主感度方向に直交する周囲方向においてもある程度の感度が得られている。
【００３４】
図６には上述した積層体５４の斜視図が示されている。ここにおいてｊ方向は左右方向つまりＹ方向であり、それが積層方向となっている。ｉ方向が主感度方向６０に合致している。ｋ方向はｉ方向及びｊ方向に直交する方向であり、そのｋ方向が先端部の厚み方向に一致している。各センサの有感面はｉ方向及びｋ方向に広がっている。一般的には、このような配置の場合、主感度方向６０に対して感度があまりないことになるが、本実施形態においては上述した構成によって正面に対して十分な感度を持たせることが可能となっている。しかも個々のセンサの有感面の総和としてかなり大きなものが得られているので、それも感度向上の要因になっている。
【００３５】
図７及び図８には放射線検出部の他の構成例が示されている。
【００３６】
図７において、基板８２上には２つのセンサ８４，８６が設けられている。センサ８４は大面積型の半導体センサであり、その有感面８４Ａは例えば１０×１０ｍｍの大きさを有している。一方、センサ８６は比較的小型の半導体センサであり、その有感面８６Ａは３×３ｍｍのサイズを有している。ちなみに、図５に示した各センサもそれと同一のサイズを有している。２つのセンサ８４，８６の有感面８４Ａ，８６Ａは先端部厚み方向上方を向いている。
【００３７】
この構成例においても、２つのセンサ８４，８６の周囲にフィルタ部材８０が設けられている。このフィルタ部材８０は図５に示した構成と同様の形態を有している。すなわちそれによってエネルギー感度特性が高められている。また、散乱体としての機能も発揮されているものと理解される。実験によれば、このような検出部の構成によって主測定方向６０において十分な感度が得られることが確認されている。ただし、この図７に示す構成によると、条件次第では左右方向において感度の上昇が生じることも確認されている。もちろんそのような感度の上昇を他の構成を用いて押さえ込むことも可能である。
【００３８】
第１センサ８４の出力信号はアンプ８８及びコンパレータ９０を介してプロセッサ４０へ送られている。またセンサ８６の出力信号はアンプ９２及びコンパレータ９４を介してプロセッサ４０へ出力されている。プロセッサ４０においては、２つのセンサ８４，８６の両方を動作させたりその内の一方だけを動作させたりすることが可能となっている。これにより線量に応じて動作させるセンサの個数あるいは種類を選択することが可能である。
【００３９】
図８には、２つのセンサ８４，８６の斜視図が示されている。上述したように基板８２上には２つのセンサ８４，８６が左右方向すなわちｊ方向に並んで配列されている。先端部は既に説明したようにｉ方向及びｊ方向に広がった平べったい形態を有しているため、このような２つのセンサの配置はスペース効率を高められるものである。いずれにしても、左右方向にセンサを並べることにより先端部におけるセンサ配置を極めて合理的なものにできるという利点が得られる。
【００４０】
次に図９乃至図１１を用いて幾つかの表示例について説明する。本実施形態におけるサーベイメータは幾つかの表示モードを有している。図９に示す表示モードにおいては、線量当量率が、数値１００として表示されており、また仮想的なアナログメータ１０２として表示されている。線量当量率ではなく積算当量、線量率、積算線量等が表示されるようにしてもよい。符号１０４は現在から過去に遡ってみた場合における線量当量率の最大値を示している。すなわち、本実施形態のサーベイメータは過去に遡って最大値を特定する機能を有する。この場合において、過去に遡る期間をユーザーにより指定させるようにしてもよい。符号１０６は現在の時刻を示しており、符号１０８はバッテリにおける残量を示している。符号１１０はデータ演算で標準偏差を用いる場合におけるその条件を表しており、符号１１２はスピーカのオンオフ状態を示している。符号１１４はブザーのオンオフ状態を示している。符号１１６は装置の動作状態を示しており、例えばメモリへの記憶動作を行っている場合においては、所定の発光状態となる。
【００４１】
図１０に示す表示モードにおいては、符号１００で示されるように数値によって現在の線量当量率が表示される他、符号１１８で示されるように、トレンドグラフが表示される。このトレンドグラフは現在から過去に遡って線量当量率の変動をグラフとして表したものである。それが積算線量を表すものであってもよい。図１１には更に他の表示モードが示されており、この例においては符号１００で示されるように数値によって線量当量率が示されている。
【００４２】
上述したサーベイメータによれば、基本的に１つのケース内に全ての構成が収容されており（オールインワン構成）、それを片手で把持しつつ測定を行えるという利点が得られる。しかも、先端部が傾斜部を構成しており、グリップ部が後端側に設定されているから、サーベイメータを持った状態においてその検出面を対象物に対して自然に向けることが可能であり、その場合においても表示面を観察し易いようになっている。またグリップ部がくびれ形状を有しているため持つ部分を誤りなく認識でき、また持ち易いという利点が得られる。それを持った場合において親指等によって操作部を容易に操作でき、その場合においても表示部が手によって隠されることが防止されている。更に、検出部が平べったい形状を有しており、その形状に合わせて複数のセンサが左右方向に並べて配置されている。これによってスペース効率が高められ、ひいては検出感度が高められている。
【００４３】
本実施形態において、図４に示したプロセッサ４０は、線量の大小に応じて動作させるセンサの個数を切り替えるようにしている。具体的には、図５及び図６に示した構成例においては、低線量の場合においては３つのグループを動作させるようにし、高線量の場合においては中央のグループのみを動作させるようにしている。もちろんより細かく段階的にグループ数を変えるようにしてもよい。また図７及び図８に示した構成例においては、低線量の場合には、センサ８４及びセンサ８６の両方を動作させており、高線量においてはセンサ８６のみを動作させるようにしている。もちろん更に中間的にセンサ８４のみを動作させる等の変形を行うことも可能である。
【符号の説明】
【００４４】
１０  先端部、１１  屈曲部、１２  中間部、１４  グリップ部、１６  検出部、１８  表示部、２０  操作部。
【図１】
2013053881.tif 000003
【図２】
2013053881.tif 000004
【図３】
2013053881.tif 000005
【図４】
2013053881.tif 000006
【図５】
2013053881.tif 000007
【図６】
2013053881.tif 000008
【図７】
2013053881.tif 000009
【図８】
2013053881.tif 000010
【図９】
2013053881.tif 000011
【図１０】
2013053881.tif 000012
【図１１】
2013053881.tif 000013